【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
撮像手段と、
前記撮像手段からの画像を表示する表示手段と、
前記画像に関連する関連情報を入力する入力手段と、
前記表示手段で表示された前記画像と共に前記入力手段から入力された関連する関連情報とを記憶する記憶手段と前記記憶手段に記憶された前記画像と前記関連する関連情報とを読み出し、記録媒体に書き込むと共に、前記記憶媒体に備えられた他の記憶媒体に識別情報を記憶する制御手段とを備えた第１の情報処理装置と、
前記記憶媒体から識別情報を読み出し、前記記憶手段から前記画像と前記関連する関連情報とを検索して、表示画面に表示させる制御手段とを備えた第２の情報処理装置とを備えた情報処理システム
【請求項２】
前記第１の情報処理装置の前記制御手段は前記記録媒体にプリントすると共に、前記記録媒体に設けられた電子メモリに書き込みすることを特徴とした請求項1記載の情報処理システム
【請求項３】
前記第2の情報処理装置の前記制御手段は前記記録媒体の識別情報を電子メモリに書き込みすることを特徴とした請求項1記載の情報処理システム
【請求項４】
前記第１の情報処理装置の前記入力手段はキーボード入力手段を含むことを特徴とした請求項1記載の情報処理システム
【請求項５】
前記第１の情報処理装置と前記第2の情報処理装置とはネットワークで接続されることを特徴とした請求項1記載の情報処理システム
【請求項６】
撮像手段からの画像を表示する表示手段と、
前記画像に関連する関連情報を入力する入力手段と、
前記表示手段に表示されたアイコンに対する指示を検出する第１の検出手段と、
前記第１の検出手段の検出結果に応じて、前記表示手段で表示された前記画像を記憶する記憶手段と、
前記表示手段に表示された他のアイコンに対する指示を検出する第２の検出手段と、
前記第２の検出手段の検出結果に応じて、前記表示手段で表示された前記画像と共に入力手段から入力された関連する関連情報とを記憶するする記憶手段と、
前記記憶手段に記憶された前記画像と前記関連する関連情報とを読み出し、第１の記憶媒体に前記画像及び前記関連情報を書き込むと共に、前記第１の記憶媒体に備えられた第２の記憶媒体に識別情報を記憶する制御手段とを備えた情報処理装置
【請求項７】
前記制御手段は前記第１の記憶媒体にプリントすると共に、前記第１の記憶媒体に設けられた第２の記憶媒体に書き込みすることを特徴とした請求項６記載の情報処理装置
【請求項８】
前記入力手段はキーボード入力手段を含むことを特徴とした請求項６記載の情報処理装置
【請求項９】
前記記憶手段に記憶されている前記画像情報および前記関連情報を外部の機器に転送する手段を備えたことを特徴とした請求項６記載の情報処理装置
【請求項１０】
前記第１の記憶媒体は着脱可能で可搬することができることを特徴とした請求項６記載の情報処理装置
【請求項１１】
前記第１の記憶媒体はカードからなること特徴とする請求項１項記載の情報処理装置
【請求項１２】
撮像手段からの画像を表示する表示手段と、前記画像に関連する関連情報を入力する入力手段と、前記表示手段で表示された前記画像と共に前記入力手段から入力された関連する関連情報とを記憶するする記憶手段と、前記記憶手段に記憶された前記画像と前記関連する関連情報とを読み出し、記録媒体に書き込むと共に、前記記憶媒体に備えられた他の記憶媒体に識別情報を記憶する制御手段とを備えた第１の情報処理装置の前記記憶媒体を扱う情報処理装置において、
前記記憶媒体の前記識別情報を読み取り、前記記憶手段から前記識別情報に対応する前記画像と前記関連する関連情報とを前記記憶手段から検索する検索手段と、
前記検索手段により検索された前記画像と前記関連する関連情報を表示画面上に表示させる制御手段とを備えた情報処理装置
【請求項１３】
前記第１の情報処理装置の前記記憶手段からの検索した結果と、前記記録媒体に記憶されている内容との比較の結果を前記表示画面上に表示させる手段とを備えたことを特徴とした請求項１2記載の情報処理装置
【請求項１４】
撮像手段からの画像を表示する表示工程と、
入力手段から前記画像に関連する関連情報を入力する入力工程と、
前記表示手段で表示された前記画像と共に入力手段から入力された関連する関連情報とを記憶する記憶工程と、
記憶手段に記憶された前記画像と前記関連する関連情報とを読み出し、記録媒体に書き込むと共に、前記記憶媒体に備えられた他の記憶媒体に識別情報を記憶する制御工程と、
前記記憶媒体から識別情報を読み出し、前記記憶手段から前記画像と前記関連する関連情報とを検索して、表示画面に表示させる制御工程とを備えた情報処理方法
【請求項１５】
前記制御工程は前記記録媒体にプリントすると共に、前記記録媒体に設けられた電子メモリに書き込みする工程を含むことを特徴とした請求項１4記載の情報処理方法
【請求項１６】
前記記憶媒体は可搬でき、前記記録媒体表面に前記画像が可視記録されることを特徴とした請求項１4記載の情報処理方法
【請求項１７】
前記第１の情報処理装置の前記制御手段は前記記録媒体にプリントすると共に、前記記録媒体に設けられた電子メモリに書き込みすることを特徴とした請求項1記載の情報処理システム
【請求項１８】
撮像手段からの画像を表示手段に表示する表示工程と、
前記画像に関連する関連情報を入力する入力工程と、
前記表示手段に表示されたアイコンに対する指示を検出する第１の検出工程と、
前記第１の検出工程の検出結果に応じて、前記表示手段で表示された前記画像を記憶手段に記憶する記憶工程と前記表示手段に表示された他のアイコンに対する指示を検出する第２の検出工程と、
前記第２の検出工程の検出結果に応じて、前記表示手段で表示された前記画像と共に入力手段から入力された関連する関連情報とを記憶手段に記憶する記憶工程と、
前記記憶手段に記憶された前記画像と前記関連する関連情報とを読み出し、第１の記録媒体に前記画像及び前記関連情報を書き込むと共に、前記第１の記憶媒体に備えられた第２の記憶媒体に識別情報を記憶する制御工程とを備えた情報処理方法、
【請求項１９】
前記制御手段は前記記録媒体に可視可能なプリントすると共に、前記第２の記憶媒体に設けられた電子メモリに書き込みすることを特徴とした請求項１8記載の情報処理方法
【請求項２０】
前記記憶手段に記憶された前記画像及び前記関連情報を外部装置に転送する工程を備えたことを特徴とした請求項１8記載の情報処理方法
【請求項２１】
撮像手段からの画像を表示する表示手段と、前記画像に関連する関連情報を入力する入力手段と、前記表示手段で表示された前記画像と共に前記入力手段から入力された関連する関連情報とを記憶するする記憶手段と、前記記憶手段に記憶された前記画像と前記関連する関連情報とを読み出し、記録媒体に書き込むと共に、前記記憶媒体に備えられた他の記憶媒体に識別情報を記憶する制御手段とを備えた第１の情報処理装置の前記記憶媒体を扱う情報処理装置の制御方法において、
前記記憶媒体の前記識別情報を読み取り、前記記憶手段から前記識別情報に対応する前記画像と前記関連する関連情報とを検索する検索工程と、
前記検索手段により検索された前記画像と前記関連する関連情報を表示画面上に表示させる制御工程とを備えた情報処理方法